(57)【特許請求の範囲】
【請求項１】
遊技機本体内でホッパから溢れたコインが入る補助タンクを備えた遊技機において、
前記遊技機本体には、前記補助タンクを介して前記遊技機本体外に前記コインを排出可能なコイン回収穴が開口形成され、
前記補助タンクは、
上部が開放され、前記コイン回収穴に連通する開口穴が形成されたタンク本体と、
前記開口穴の開閉動作が可能であり、開放位置と閉塞位置の途中で、移動方向が変化する閉塞準備位置の存在する蓋体と、
少なくとも前記蓋体が前記閉塞位置にある場合に該蓋体の開方向への動きを規制する蓋体移動規制手段と、を備え、
前記蓋体移動規制手段は、前記遊技機本体外から操作不可能に設けられていることを特徴とする遊技機。
【発明の詳細な説明】
【技術分野】
【０００１】
本発明は、スロットマシン等の遊技機に関するものである。
【背景技術】
【０００２】
特許文献１には、遊技機内でホッパから溢れた遊技媒体の自動回収と手動回収の両方に対応可能とする補助タンクを有する遊技機が示されている。
【０００３】
遊技機本体の底面には、遊技媒体の自動回収に対応可能とするための回収穴が予め開口形成されており、外部と遊技機本体の内部とが連通されている。
【０００４】
遊技機は、遊技ホールの島設備に設置され、その島設備が遊技媒体の自動回収装置を備えている場合には、回収穴の下方に自動回収装置の回収手段が連続して配置されるように設置される。
【０００５】
補助タンクは、補助タンクの底壁部に、開口穴を形成したい部分を取り囲むように板厚方向に貫通する切り込み部が複数箇所の接続リブを残して断続的に形成されており、この複数箇所の接続リブを切断することによって開口穴を形成できるようになっている。
【０００６】
上記従来の補助タンクは、遊技媒体の手動回収を行う島設備では、そのまま使用され、遊技媒体の自動回収を行う島設備では、補助タンクの底壁に開口穴が形成されて使用される。
【０００７】
補助タンクの開口穴は、遊技機本体内に補助タンクがセットされた状態で、遊技機本体の底面の回収穴に連通する。そして、ホッパから溢れて補助タンクに回収された遊技媒体は、開口穴を通過して補助タンクから排出され、遊技機本体の回収穴を通過して、自動回収装置に供給される。
【先行技術文献】
【特許文献】
【０００８】
【特許文献１】特開２００５−３２３７５０号公報
【発明の概要】
【発明が解決しようとする課題】
【０００９】
しかしながら、遊技機本体の底面には、自動回収用の回収穴が予め開口形成されているので、設置された状態では回収穴が露出するおそれはないが、例えば遊技機を島設備に設置する前や、中古機として移設するために島設備等から取り外された状態等、遊技機単体の状態においては、遊技機本体の回収穴が露出するおそれがある。
【００１０】
本発明は、これらの問題に鑑みてなされたものであり、その目的は、遊技機本体のコイン回収穴が露出する状況において、補助タンクの開口穴が開放されることのない遊技機を提供することにある。
【課題を解決するための手段】
【００１１】
上記課題を解決する請求項１に記載の発明による遊技機の発明は、遊技機本体内でホッパから溢れたコインが入る補助タンクを備えた遊技機において、前記遊技機本体には、前記補助タンクを介して前記遊技機本体外に前記コインを排出可能なコイン回収穴が開口形成され、前記補助タンクは、上部が開放され、前記コイン回収穴に連通する開口穴が形成されたタンク本体と、前記開口穴の開閉動作が可能であり、開放位置と閉塞位置の途中で、移動方向が変化する閉塞準備位置の存在する蓋体と、少なくとも前記蓋体が前記閉塞位置にある場合に該蓋体の開方向への動きを規制する蓋体移動規制手段と、を備え、前記蓋体移動規制手段は、前記遊技機本体外から操作不可能に設けられていることを特徴とする。
【発明の効果】
【００１２】
本発明によれば、遊技機本体のコイン回収穴が露出する状況において、補助タンクの開口穴が開放されることのない遊技機を提供することができる。
【図面の簡単な説明】
【００１３】
【図１】スロットマシンの前面扉が閉じた状態を示す斜視図である。
【図２】スロットマシンの前面扉が開いた状態を示す斜視図である。
【図３】スロットマシンの筐体内を正面から示す図である。
【図４】図３のＩ−Ｉ線断面矢視図である。
【図５】補助タンクの開口部が蓋体によって閉塞された状態を示す補助タンクの斜視図である。
【図６】補助タンクの開口部が開放された状態を示す補助タンクの斜視図である。
【図７】補助タンクの平面図である。
【図８】図７のＩＩ−ＩＩ線断面矢視図である。
【図９】図７のＩＩＩ−ＩＩＩ線から見た蓋体の規制状態を説明する図である。
【図１０】図７のＩＶ−ＩＶ線断面矢視図である。
【図１１】図９のＡ部を拡大して示し、蓋体のタンク本体への支持状態を説明する図である。
【図１２】補助タンクの蓋体を開閉操作する方法について説明する図である。
【図１３】第１蓋体移動規制手段による蓋体の開放側への回動を規制する方法を説明する図である。
【図１４】図１２のＶＩ−ＶＩ線断面矢視図である。
【図１５】図１４のＶＩＩ−ＶＩＩ線断面矢視図である。
【図１６】筐体２の内方に補助タンク５０が装着された状態を正面から示す断面図である。
【図１７】第２実施の形態を説明する図であり、補助タンク５０の蓋体５２を開閉操作する方法について説明する図である。
【図１８】図１７のＶＩＩＩ−ＶＩＩＩ線断面矢視図である。
【図１９】図１７のＩＸ方向矢視図である。
【発明を実施するための形態】
【００１４】
はじめに、本実施の形態から抽出され得る発明群を手段ｎ（ｎ＝０、１、２、３・・・）として区分して示し、それらを必要に応じて効果等を示しつつ説明する。
【００１５】
手段０．遊技機本体内でホッパから溢れたコインが入る補助タンクを備えた遊技機において、前記遊技機本体には、前記補助タンクを介して前記遊技機本体外に前記コインを排出可能なコイン回収穴が開口形成され、前記補助タンクは、上部が開放され、前記コイン回収穴に連通する開口穴が形成されたタンク本体と、前記開口穴の開閉動作が可能であり、開放位置と閉塞位置の途中で、移動方向が変化する閉塞準備位置の存在する蓋体と、少なくとも前記蓋体が前記閉塞位置にある場合に該蓋体の開方向への動きを規制する蓋体移動規制手段と、を備え、前記蓋体移動規制手段は、前記遊技機本体外から操作不可能に設けられていることを特徴とする遊技機。
【００１６】
手段１．遊技機本体４内でホッパ１５から溢れて補助タンク５０内に収容されたコインを遊技機本体４に開口するコイン回収穴２Ｆから外部に排出可能な遊技機1において、補助タンク５０は、上部が開放され、コイン回収穴２Ｆに連通する開口穴５３が形成されたタンク本体５１と、開口穴５３の開閉動作が可能であり、開放位置と閉塞位置の途中で、移動方向が変化する閉塞準備位置の存在する蓋体５２と、遊技機本体４外から操作不可能に設けられ、少なくとも蓋体５２が閉塞位置にある場合に蓋体５２の開方向への動きを規制する蓋体移動規制手段５８、５９、６０と、を備えることを特徴とする遊技機。
【００１７】
手段１に記載の発明によると、蓋体５２を移動方向が変化する閉塞準備位置から閉塞位置に移動させた場合に、蓋体５２の開方向への動きが蓋体移動規制手段５８、５９、６０により規制され、蓋体５２を閉塞位置に強固に保持することができる。
【００１８】
従って、例えば遊技機１を島設備に設置する前や、中古機として移設するために島設備から取り外された状態等、遊技機１単体の状態とされて筐体２の底板２Ｂのコイン回収穴２Ｆが露出する状況において、遊技機本体４の外部からコイン回収穴２Ｆを通して補助タンク５０の蓋体５２が閉塞位置から開放側に移動する方向に付勢された場合に、蓋体移動規制手段５８、５９、６０によって蓋体５２の開放側への移動を規制して、補助タンク５０の開口穴５３が開放されるのを防ぐことができる。ここで、蓋体５２を、補助タンク５０の底部に設けられた開口穴５３を単に開閉するようにタンク本体５１に設けた場合、例えば下方から蓋部５２を突き上げて簡単に開放することができると、遊技機本体４の回収穴２Ｆから操作されて、蓋部５２が開放され種々の不正行為が行われる恐れがある。これに対して、本発明においては蓋体移動規制手段５８、５９、６０が設けられているので、遊技機本体１のコイン回収穴２Ｆから遊技機本体１内に針金や特殊工具等の異物が挿入されるのを防止し、このような異物を使用した種々の不正行為を未然に防ぐことができる。
【００１９】
手段２．手段１に記載の遊技機１において、蓋体５２の閉塞準備位置から閉塞位置までの移動動作は、開口穴５３の開口面に略平行な移動動作であることを特徴とする。
【００２０】
手段２に記載の発明は、手段１に記載の蓋体５２の閉塞準備位置から閉塞位置までの移動動作を特定したものであり、蓋体５２は、移動方向が変化する閉塞準備位置から閉塞位置に、開口穴５３の開口面に略平行に移動させた場合に、蓋体５２の開方向への動きが蓋体移動規制手段５８、５９、６０により規制され、蓋体５２を閉塞位置に強固に保持することができることとなる。従って、遊技機本体４の外部からコイン回収穴２Ｆを通して補助タンク５０の蓋体５２が閉塞位置から開放側に移動する方向に付勢された場合に、蓋体移動規制手段５８、５９、６０によって蓋体５２の開放側への移動を規制して、補助タンク５０の開口穴５３が開放されるのを防ぐことができる。
【００２１】
手段３.手段１又は２に記載の遊技機１において、蓋体５２は、タンク本体５１に開口穴５３が開放状態となる開放位置と閉塞準備位置との間で回動自在に支持される支持手段５６を有し、閉塞準備位置から閉塞位置に移動が可能な構成で設置されたことを特徴とする。
【００２２】
手段３に記載の発明は、蓋体５２の具体的な構成の一例を示したものであり、これによれば、蓋体５２は、支持手段５６により回動軸２１２、２１３を中心に開放位置と閉塞準備位置との間を回動可能に構成される。また、閉塞準備位置から閉塞位置への移動が行われ、蓋体移動規制手段５８、５９により蓋体５２の開方向への動きが規制されることとなる。従って、遊技機本体１のコイン回収穴２Ｆから遊技機本体１内に針金や特殊工具等の異物が挿入されるのを防止し、このような異物を使用した種々の不正行為を未然に防ぐことができる。
【００２３】
手段４．手段１〜３の何れか１に記載の遊技機１において、蓋体移動規制手段５８、５９は、タンク本体５１に設けられ、蓋体５２が少なくとも閉塞位置にある場合に、蓋体５２が開口穴５３の開口面から離反する方向への開放動作を蓋体５２に当接することで規制する第１蓋体移動規制手段５８を含むことを特徴とする。
【００２４】
手段４に記載の発明は、蓋体移動規制手段５８、５９の具体的な構成の一例を示したものであり、これによれば、蓋体移動規制手段５８、５９は、第１蓋体移動規制手段５８を有する。この第１蓋体移動規制手段５８は、タンク本体５１に設けられており、蓋体５２を閉塞準備位置から閉塞位置に移動させた場合に、蓋体５２に第１蓋体移動規制手段５８の突起部１１４Ａ、１１４Ｂに当接させて蓋体５２の開放側への移動を規制することができ、蓋体５２を閉塞位置に強固に保持することができる。
【００２５】
手段５．手段４に記載の遊技機１において、蓋体移動規制手段５８、６０は、タンク本体５１に設けられ、蓋体５２が閉塞位置にある場合に、蓋体５２の閉塞位置から閉塞準備位置への移動を規制する第２蓋体移動規制手段６０を含むことを特徴とする。
【００２６】
手段５に記載の発明によれば、蓋体５２が閉塞位置にある場合に、蓋体５２は、第２蓋体移動規制手段６０により、閉塞準備位置への移動が規制されることとなる。従って、蓋体５２を閉塞位置に更に強固に保持することができる。
【００２７】
手段６．手段５に記載の遊技機１において、第２蓋体移動規制手段６０は、蓋体５２を閉塞準備位置から閉塞位置へと移動させる蓋体移動手段６０を有することを特徴とする。
【００２８】
手段６に記載の発明によれば、蓋体移動手段６０を有する第２蓋体移動規制手段６０により、蓋体５２を閉塞準備位置から閉塞位置へと移動させることができる。これにより、補助タンク５０は蓋体５２が開放している状態と閉塞している状態との切替を素早く行うことが可能である。
【００２９】
手段７．手段５又は６の何れか１に記載の遊技機１において、蓋体移動規制手段５８、６０、２５０は、蓋体５２が閉塞位置にある場合に、第１蓋体移動規制手段５８によって規制される移動方向及び第２蓋体移動規制手段６０によって規制される移動方向とは直交する方向への蓋体５２の移動を規制する第３蓋体移動規制手段２５０を有することを特徴とする。
【００３０】
手段７に記載の発明によれば、第３蓋体移動規制手段２５０によって蓋体５２は、第１蓋体移動規制手段５８によって規制される移動方向及び第２蓋体移動規制手段６０によって規制される移動方向とは直交する方向への蓋体５２の移動が規制される。
【００３１】
従って、第１蓋体移動規制手段５８により、蓋体５２の開放方向へ移動が規制されながら、また第２蓋体移動規制手段６０によって閉塞位置から閉塞準備位置への移動が規制されながら、第３蓋体移動規制手段２５０により、第１蓋体移動規制手段５８及び第２蓋体移動規制手段６０によって規制される移動方向とは直交する方向への蓋体５２の移動が規制されることとなる。これにより、蓋体５２を閉塞位置において、強固に保持することができるとともに、蓋体５２の大きさを開口穴５３の大きさと略同一にしても、蓋体５２と開口穴５３との間には隙間が発生せず、開口穴５３から異物等を挿入することをより確実に防ぐこととなる。
【００３２】
手段８．手段１〜７の何れか１に記載の発明の遊技機１において、タンク本体５１は、蓋体５２を、閉塞位置から閉塞準備位置の方向に向かって付勢する第１付勢手段６１を有することを特徴とする。
【００３３】
手段８に記載の発明によると、第１付勢手段６１によって蓋体５２を閉塞位置から閉塞準備位置の方向へ付勢するので、第２蓋体移動規制手段６０による蓋体５２の移動規制を解除した場合に、蓋体５２を閉塞位置から閉塞準備位置に移動させることができ、第１蓋体移動規制手段５８、第２蓋体移動規制手段６０による蓋体５２の移動規制を解除することができ、蓋体５２を閉塞位置から開放位置に素早く変える作業を簡単化できる。
【００３４】
手段９．手段１〜８の何れか１に記載の発明の遊技機１において、タンク本体５１は、蓋体５２を開放側に付勢して、蓋体５２を開放状態に保持する開放位置保持手段６２を有することを特徴とする。
【００３５】
手段９に記載の発明によると、蓋体５２が閉塞位置から閉塞準備位置に移動させた場合に、開放位置保持手段６２によって蓋体５２を開放側に回動させて開放状態に保持することができ、タンク本体５１の開口穴５３を自動的に開放することができる。
【００３６】
手段１０．手段９に記載の遊技機１において、開放位置保持手段６２は、蓋体５２とタンク本体５１との間に介装されて、蓋体５２を閉塞準備位置から開放側に向かって付勢する第２付勢手段２２１を有することを特徴とする。
【００３７】
手段１０に記載の発明は、開放位置保持手段６２の具体的な構成の一例を示したものであり、これによれば、蓋体５２とタンク本体５１との間に第２付勢手段２２１が介装され、その第２付勢手段２２１によって蓋体５２が閉塞側から開放側に付勢される。従って、蓋体５２を開放側に回動させて開放状態に保持することができ、タンク本体５１の開口穴５３を自動的に開放することができる。
【００３８】
［第１実施の形態］
以下、本発明の第１実施の形態について、遊技機の一例としてスロットマシン１の場合を例に図面に基づいて説明する。図１は、スロットマシン１の前面扉３が閉じた状態を示す斜視図、図２は、スロットマシン１の前面扉３が開いた状態を示す斜視図、図３は、スロットマシン１の筐体２を正面から示す図、図４は、図３のＩ−Ｉ線断面矢視図である。
【００３９】
スロットマシン１は、図１及び図２に示すように、筐体２と前面扉３とからなる正面視略矩形状の本体（遊技機本体）４を有する。
【００４０】
前面扉３は、略平板状のフレーム２０に、スタートレバー２６やセレクタ９等の種々の装置類が装着されて構成されている。フレーム２０は、フレーム２０の上端部から高さ方向略中央部まで下方に移行するに従って手前側に突出するように傾斜した傾斜部２０Ａと、傾斜部２０Ａの下端から手前側に突出してフレーム２０の左右に亘って所定の高さ幅で延在する突出部２０Ｂと、突出部２０Ｂよりも奥側に後退した位置で突出部２０Ｂからフレーム２０の下端部まで垂下する垂下部２０Ｃを有する。
【００４１】
フレーム２０は、左端部の上下複数カ所がヒンジ５（図２を参照）によって筐体２に連結されて取り付けられ、筐体２の前部を容易に開放及び閉塞できるようになっている。そして、フレーム２０の右端部には、筐体２に対して前面扉３を閉塞して施錠状態とする施錠装置６と、その施錠装置６による施錠状態を解除して前面扉３を開放するためのキーシリンダ７が設けられている。
【００４２】
前面扉３の前面には、フレーム２０に取り付けられた装置類によって、上方から下方に向かって順番に並ぶように、演出部３Ａ、表示部３Ｂ、操作部３Ｃ、装飾部３Ｄ、払出部３Ｅが形成されている。
【００４３】
演出部３Ａは、遊技者に対して光や音、映像を用いて演出を行う演出装置２１を有する。演出装置２１は、フレーム２０の傾斜部２０Ａに取り付けられており、遊技の進行に伴って転倒・点滅する上部ランプ２１ａと、上部ランプ２１ａの下方位置で左右両側に各々配置されて種々の効果音等を発生させる一対のスピーカ２１ｂ−１、２１ｂ−２と、これら一対のスピーカ２１ｂ−１、２１ｂ−２の間に配設されて、画像・映像等の種々の情報を表示する液晶ディスプレイ２１ｃを有する。
【００４４】
表示部３Ｂは、遊技者に遊技状態を示す表示用パネル２２を有する。表示用パネル２２は、フレーム２０の傾斜部２０Ａに開口する矩形の開口部に嵌合されて取り付けられている。表示用パネル２２の略中央位置には、透明又は半透明な材質によって表示窓２２ａが一体成形されており、その表示窓２２ａから筐体２の内方の回転リール１１ａ〜１１ｃを視認できるようになっている。
【００４５】
操作部３Ｃは、表示用パネル２２の下端から手前側に向かって平面状に突出する突出部２０Ｂの上面部２０Ｂａに、ベットボタン２３とコイン投入口２４とが左右に離れて設けられている。そして、上面部２０Ｂａの手前側の端部で折曲されて垂下する突出部２０Ｂの前面部２０Ｂｂに、精算ボタン２５、回転リール１１ａ〜１１ｃの回転開始を指示するためのスタートレバー２６、回転リール１１ａ〜１１ｃの回転停止を支持するためのストップボタン２７等の各操作手段が横一列に並ぶように配設されている。突出部２０Ｂの前面部２０Ｂｂには各操作手段の周りをカバーするカバー部材２８が取り付けられている。カバー部材２８は、フレーム２０の突出部２０Ｂの前方で左右に亘って延在する帯板形状を有している。
【００４６】
装飾部３Ｄは、機種名や遊技に関わるキャラクタ等を表示する装飾用パネル４０を有する。装飾用パネル４０は、装飾用パネル４０の裏面側に設けられた照明装置の光源Ｐから照射される光によって照明されて、装飾が際立つようになっている。照明装置は、光源Ｐとして冷陰極管を備えており、図４に示すように、装飾用パネル４０の表示部４２とフレーム２０の垂下部２０Ｃとの間で前面扉３の左右に延在し、両端がフレーム２０に支持されている。光源Ｐは、電源の供給を受けて放射状に光を照射する。
【００４７】
装飾用パネル４０は、保護カバー４１と減光手段４４を備えている。保護カバー４１は、フレーム２０の垂下部２０Ｃの前方で上下に延在する表示部４２と、表示部４２の下端で折曲されて後方に向かって延在し、コイン受け皿３３に対向する対向部４３とが一体に形成され、透明又は半透明のプラスチックやアクリル等、硬質の合成樹脂製材料等の光透過性部材によって構成されている。
【００４８】
減光手段４４は、保護カバー４１の対向部４３の少なくとも一部を覆い、光源Ｐからコイン受け皿３３に向かって照射される光を減光する構成を有しており、対向部４３の上面に取り付けられて光源Ｐからコイン受け皿３３に向かって照射される光を遮光する遮光プレート４５と、遮光プレート４５に開口して光源Ｐからコイン受け皿３３に向かって照射される光を通過させる開口部４６と、開口部４６に脱着自在に取り付けられて開口部４６を通過する光を透過させて光量や色等を変更する透過光調整部４７によって構成されている。
【００４９】
開口部４６は、図４に示すように、光源Ｐから照射された光が通過してコイン受け皿３３を照明する位置に設けられている。開口部４６の大きさは、光源Ｐからコイン受け皿３３内を照明するのに必要で且つ遊技者が眩しくない程度の光量の光を透過させることができる大きさに設定されている。
【００５０】
従って、光源Ｐから照射された光を減光手段４４で減光して、コイン受け皿３３に照射される光の光量を調整することができ、適切な光量の光でコイン受け皿３３を照明でき、遊技者にとって眩しすぎず、且つ、コイン受け皿３３上のコインの存否確認を容易ならしめ、コイン受け皿３３上のコインの取り忘れを防ぐことができる。
【００５１】
特に、コイン受け皿３３の底板部３３Ａの強度を補強するために底板部３３Ａの底面に金属製の板部材が敷設されて、上方からの光を反射し易い構造となっている場合には、減光手段４４によって適切な光量に減光することにより、遊技者が眩しく感じるのを有効に防ぐことができる。
【００５２】
そして、保護カバー４１の表示部４２と対向部４３が一体に形成されているので、光を透過させるための開口部等を保護カバー４１に開ける必要がない。従って、針金等の棒状の異物が保護カバー４１を貫通して挿入されるおそれがなく、スロットマシン１の設定状態を不正に変更する等の不正行為を有効に防ぐことができる。
【００５３】
払出部３Ｅは、コイン払出口３１や演出用スピーカ３２Ｌ、３２Ｒ、コイン受け皿３３等を有する。コイン払出口３１は、図１に示すように、フレーム２０の左右方向略中央位置に開口形成されており、排出用通路８（図２を参照）の下流端が連通して接続されている。演出用スピーカ３２Ｌ、３２Ｒは、コイン払出口３１の左右方向両側に位置するように前面扉３のフレーム２０に取り付けられている。
【００５４】
コイン受け皿３３は、コイン受け皿取付板３０を介してフレーム２０に取り付けられている。コイン受け皿取付板３０は、一枚の平板状の金属板によって構成されており、フレーム２０の垂下部２０Ｃに重ね合わせるように取り付けられて、前面扉３の左右に亘って延在し、左右の演出用スピーカ３２Ｌ、３２Ｒの前面を覆っている。
【００５５】
コイン受け皿取付板３０の略中央には、フレーム２０のコイン払出口３１の位置に対応してコイン出口３０ａが開口形成されており、コイン払出口３１からコイン受け皿３３にコインが排出されるようになっている。また、コイン受け皿取付板３０の左右両側には、演出用スピーカ３２Ｌ、３２Ｒの位置に対応して複数の小孔３０ｂがメッシュ状に形成されて、演出用スピーカ３２Ｌ、３２Ｒからの音声等が前面扉３の前方である手前側に向かって発せられるようになっている。
【００５６】
コイン受け皿３３は、フレーム２０の垂下部２０Ｃから手前側に突出して前面扉３の左右に延在するように取り付けられている。コイン受け皿３３は、コイン払出口３１よりも下方位置で底面が左右に広がる底板部３３Ａと、底板部３３Ａの外端縁に沿って設けられて底面から上方に延出する縦壁部３３Ｂを有し、コイン受け皿取付板３０に取り付けられた場合に、縦壁部３３Ｂとコイン受け皿取付板３０との間に囲まれて上方が開放された所定枚数のコインを貯留可能な貯留空間を形成する構成を有する。
【００５７】
縦壁部３３Ｂは、コイン受け皿取付板３０から手前側に向かって延出するように基端がコイン受け皿取付板３０に固定される左右一対の側面壁部３３Ｂａ、３３Ｂｂと、コイン受け皿取付板３０に沿って左右に延在するように一対の側面壁部３３Ｂａ、３３Ｂｂの先端間を連結してコイン払出口３１に対向配置される正面壁部３３Ｂｃを有する。
【００５８】
左側面壁部３３Ｂａは、前面扉３の左端部よりも内方に位置し、前面扉３の左端部と左側面壁部３３Ｂａとの間には灰皿３３Ｃが配設されている。右側面壁部３３Ｂｂは、前面扉３の右端部に沿って位置し、コイン受け皿取付板３０から手前側に向かって移行するにしたがって右側面壁部３３Ｂｂの上端が漸次下方に移行し、正面壁部３３Ｂｃの上端に滑らかに連続している。
【００５９】
筐体２は、スロットマシン１の骨格をなす部材であり、天板２Ａ、底板２Ｂ、背板２Ｃ、左側板２Ｄ、右側板２Ｅからなり、図２に示すように、前部が開放された箱形状を有している。
【００６０】
筐体２の内方の略中央高さ位置には、リールユニット１１が配設されている。リールユニット１１は、複数個の回転リール１１ａ〜１１ｃを有している。各回転リール１１ａ〜１１ｃは、その回転中心軸線が筐体２の横幅方向に同一軸線上に延びるように配置されており、表示窓２２ａから回転リール１１ａ〜１１ｃの表面を視認できるようになっている。
【００６１】
回転リール１１ａ〜１１ｃの表面には、周回方向に所定間隔をおいて複数種類の図柄が表示されており、表示窓２２ａから上下に３つの図柄が視認できるように配置されている。そして、リール１１ａ〜１１ｃの正転により、各表示窓２２ａには各種図柄が上から下に移動しているように映し出される。
【００６２】
各リール１１ａ〜１１ｃは、個々にステッピングモータ（図示せず）に連結されており、各ステッピングモータにより別個独立して回転駆動され、リール表面の図柄が表示窓２２ａから視認可能な位置に停止される。
【００６３】
筐体２の内方の上部位置には、主基板ユニット１２が配設されている。主基板ユニット１２は、スロットマシン１の遊技動作を制御するメイン制御基板が制御基板収納ボックス内に収容された状態で、台座装置によって筐体２の背板２Cに取付支持されている。
【００６４】
筐体２の内方の下部位置には、電源ボックス１３とコイン払出手段１４と補助タンク５０が左右に並んで配置されている。電源ボックス１３は、筐体２の左側板２Ｄに沿って設けられており、開閉扉１３ａを開くことで露出される正面部には、電源スイッチ、リセットスイッチ、設定キー挿入孔（いずれも図示せず）が設けられている。電源スイッチは、主制御装置等を始めとする各部に電源を供給するための起動スイッチである。
【００６５】
リセットスイッチは、スロットマシンの各種状態をリセットするためのスイッチである。本スロットマシン１は、各種データのバックアップ機能を有しており、万一停電が発生した際でも停電時の状態を保持し、停電からの復旧（復電）の際には停電時の状態に復帰できるようになっている。したがって、例えば遊技ホールの営業が終了する場合のように通常手順で電源を遮断すると遮断前の状態が記憶保持されるが、リセットスイッチを押しながら電源スイッチをオンすると、バックアップデータがリセットされるようになっている。また、電源スイッチがオンされている状態でリセットスイッチを押した場合には、エラー状態がリセットされる。
【００６６】
設定キー挿入孔は、ホール管理者などがコインの出玉調整を行うためのものである。すなわち、ホール管理者等が設定キーを設定キー挿入孔へ挿入して操作することにより、スロットマシン１の設定状態（当選確率設定処理）を「設定１」から「設定６」まで変更できるようになっている。
【００６７】
コイン払出手段１４は、図示していないスライド機構を介して筐体２の底板２Ｂの上面に取り付けられており、前面扉３を開放した状態で筐体２の内方から前方に向かって引き出すことができるようになっている。
【００６８】
コイン払出手段１４は、コインを貯留するホッパ１５と、ホッパ１５内のコインをコイン受け皿３３に払い出す払出装置１６と、ホッパ１５から溢れたコインをホッパ１５の外に排出するコイン排出口１８等を備えている。そして、底板２Ｂの上面に払出装置１６がスライド移動可能に支持され、払出装置１６の上部にホッパ１５が取り付けられ、ホッパ１５にコイン排出口１８が形成されている。
【００６９】
払出装置１６は、モータ等の駆動手段により回転体を回転させて（いずれも図示せず）、ホッパ１５内のコインを払出口１６ａから払い出して排出用通路８に流入させる構成を有する。ホッパ１５は、筐体２の上下方向に延在する平面視略矩形の胴部１５Ａと、胴部１５Ａの下端部を閉塞する底部１５Ｂとからなる有底筒状をなす。胴部１５Ａは、左壁部１５Ａｃと右壁部１５Ａｄとが筐体２の左側板２Ｄ、右側板２Ｅと平行に延在し、後壁部１５Ａｂが筐体２の背板２Ｃに沿って延在し、前壁部１５Ａａが筐体２の前部で左右に延在するように配置される。
【００７０】
そして、胴部１５Ａの上端部は、上方に向かって開放されており、ホッパ１５内にコインが投入される投入口１７が形成されている。底部１５Ｂは、互いに対向して下方に移行するにしたがって漸次接近するように傾斜した左右一対の傾斜部１５Ｂａ、１５Ｂｂを有している。これら左右一対の傾斜部１５Ｂａ、１５Ｂｂのうち、図３で左側に示される傾斜部１５Ｂａには、払出装置１６にコインを供給する供給口が形成されている。
【００７１】
そして、図３で右側に示される傾斜部１５Ｂｂは、払出装置１６よりも筐体２の右側板２Ｅ側に突出し、底板２Ｂの上面と対向している。コイン排出口１８は、補助タンク５０の上方に位置し、ホッパ１５から溢れてコイン排出口１８から排出されたコインを補助タンク５０内に流入させることができるように、胴部１５Ａの右壁部１５Ａｄに形成されている。
【００７２】
補助タンク５０は、前面扉３を開放した状態で筐体２の内方から前方に向かって引き出して取り外しできるように、筐体２の底板２Ｂの上面に載せた状態で収容されて、遊技機本体４内に装着される。筐体２の底板２Ｂには、補助タンク５０に収容したコインを遊技機本体４の下方に位置する自動回収装置に供給するためのコイン回収穴２Ｆが開口形成されている。
【００７３】
補助タンク５０は、コイン排出口１８から排出されたコインを貯留する手動回収と、コインを通過させて自動回収装置（図示せず）によって回収させる自動回収の両方に対応可能な構造を有する。
【００７４】
補助タンク５０は、タンク本体５１と、蓋体５２を主として構成されている。タンク本体５１は、上部が開放された有底の箱形状を有しており、タンク本体５１の底壁部１０１には、開口穴５３が形成されている。開口穴５３は、補助タンク５０が遊技機本体４内に装着された状態で、筐体２の底板２Ｂに開口するコイン回収穴２Ｆと連通する位置に形成されている。
【００７５】
蓋体５２は、タンク本体５１の内方でタンク本体５１に回動自在に支持されており、回動によって開口穴５３を閉塞する閉塞位置と、開口穴５３を開放する開放位置のいずれか一方に選択的に配置可能な構成を有する。
【００７６】
補助タンク５０は、蓋体５２を閉塞位置に配置して遊技機本体４内に装着した場合に、ホッパ１５から溢れたコインをタンク本体５１内に収容して貯留することができ、また、蓋体５２を開放位置に配置して遊技機本体４内に装着した場合に、ホッパ１５から溢れてタンク本体５１内に収容したコインを、タンク本体５１の開口穴５３及び開口穴５３に連通して筐体２の底板２Ｂに開口するコイン回収穴２Ｆを通過させて遊技機本体４の外部に排出し、遊技機本体４の下方に位置する自動回収装置に供給し、自動回収装置によって回収させることができるようになっている。
【００７７】
補助タンク５０は、蓋体５２の移動方向が変わる蓋体塞準備位置から閉塞位置に移動させた場合に、蓋体５２の開放側への回動を規制し、閉塞位置から閉塞準備位置に移動させた場合に、蓋体５２の開放側への回動を許容する構成を有する。
【００７８】
蓋体５２の移動方向が変わるとは、例えば、タンク本体５１の深さ方向をｚ軸とした場合、蓋体５２の移動がｚ軸方向からｘ軸又はｙ軸方向に変わること、又は、これまでｘ軸若しくはｙ軸を回動軸とする回動運動から、ｘ軸又はｙ軸方向への移動に変わることを意味し、蓋体５２のこの移動方向が変化する位置を閉塞準備位置と定義する。
【００７９】
また、補助タンク５０は、蓋体５２を開放位置と閉塞位置との中間の予め設定された傾斜角度位置に配置して予め設定された取り外し方向であるタンク本体５１の上方に向かって相対的に移動させた場合に、蓋体５２のタンク本体５１への支持を解除して蓋体５２をタンク本体５１から取り外し可能な構成を有する。
【００８０】
筐体２の内方には、補助タンク５０内のコインの貯留状態を検出するコイン貯留状態検出手段のセンサ棒１９Ａ、１９Ｂが取り付けられている。センサ棒１９Ａ、１９Ｂは、図４に示すように、互いに上下に離間して対をなし、それぞれ筐体２の背板２Ｃに基端が固定されて、筐体２の前方に向かって平行に延在している。
【００８１】
各センサ棒１９Ａ、１９Ｂは、導電性を有する金属材料からなり、補助タンク５０を筐体２の内方に装着することによってタンク本体５１内に挿入され、タンク本体５１の内方の前後方向略中央位置まで延出する。
【００８２】
そして、導電性のコインが補助タンク５０に貯留されて一対のセンサ棒１９Ａ、１９Ｂの間に介在されると、互いに導通し、図示していないコイン貯留状態検出手段によって補助タンク５０内のコインが満杯であるとの判断されるようになっている。
【００８３】
次に、補助タンク５０の構成について詳細に説明する。図５は、補助タンク５０の開口穴５３が蓋体５２によって閉塞された状態を示す補助タンク５０の斜視図、図６は、補助タンク５０の開口穴５３が開放された状態を示す補助タンク５０の斜視図、図７は、補助タンク５０の平面図、図８は、図７のＩＩ−ＩＩ線断面矢視図、図９は、図７のＩＩＩ−ＩＩＩ線から見た蓋体の規制状態を説明する図、図１０は、図７のＩＶ−ＩＶ線断面矢視図、図１１は、図９のＡ部を拡大して示し、蓋体５２のタンク本体５１への支持状態を説明する図、図１２は、補助タンク５０の蓋体５２を開閉操作する方法について説明する図、図１３は、第１蓋体移動規制手段による蓋体５２の開放側への回動を規制第２蓋体移動規制手段する方法を説明する図、図１４は、図１２のＶＩ−ＶＩ線断面矢視図、図１５は、図１４のＶＩＩ−ＶＩＩ線断面矢視図である。
【００８４】
補助タンク５０のタンク本体５１は、図５〜図１０に示すように、平面視略矩形状の底壁部１０１と、底壁部１０１の周りを囲うように底壁部１０１から起立する前壁部１０２、後壁部１０３、左側壁部１０４、右側壁部１０５を有する。
【００８５】
前壁部１０２と後壁部１０３は、底壁部１０１の前後でそれぞれ上方に向かって折曲されて互いに対向し、左側壁部１０４と右側壁部１０５は、底壁部１０１の両側端部でそれぞれ上方に向かって折曲されて対向する。
【００８６】
そして、タンク本体５１の上部には、上方に向かって開口する開口部５４が形成されている。開口部５４は、前壁部１０２の上端部でタンク本体５１の左右方向に延在する前端縁部１０２ａ、右側壁部１０５の上端部でタンク本体５１の前後方向に延在する右端縁部１０５ａ、後壁部１０３の上端部でタンク本体５１の左右方向に延在する後端縁部１０３ａ、左側壁部１０４の上端部でタンク本体５１の前後方向に延在する左端縁部１０４ａを有しており、平面視略矩形の開口形状を有する。
【００８７】
タンク本体５１の開口部５４は、遊技機本体４内に装着された場合に、開口部５４の前端縁部１０２ａが筐体２の前部開口部分に沿って筐体２の左右方向に延在し、右端縁部１０５ａが右側板２Ｅに沿って筐体２の前後方向に延在し、後端縁部１０３ａが背板２Ｃに沿って筐体２の左右方向に延在し、左端縁部１０４ａがコイン払出手段１４に沿って筐体２の前後方向に延在する。
【００８８】
タンク本体５１は、図３及び図４に示すように、筐体２の内方に装着した場合に、コイン払出手段１４と筐体２の右側板２Ｅとの間に形成されたスペースに収容されてコイン払出手段１４のコイン排出口１８の下方に配置される。
【００８９】
そして、タンク本体５１の左側壁部１０４がホッパ１５に対向してタンク本体５１の上側及び左側への移動が規制され、同時に、タンク本体５１の右側壁部１０５が筐体２の右側板２Ｅに対向してタンク本体５１の左右への移動が規制され、更に、タンク本体５１の後壁部１０３が筐体２の背板２Ｃに対向してタンク本体５１の後方への移動が規制される。そして、前面扉３を閉じた場合に、タンク本体５１の前壁部１０２が前面扉３のスピーカ３２Ｒに対向して、タンク本体５１の前方への移動が規制される。
【００９０】
従って、タンク本体５１に当接してスロットマシン１の本体４内における補助タンク５０の前後左右及び上下の移動を規制する補助タンク移動規制手段が構成され、遊技機本体４内における補助タンク５０の位置が変更されるのを防止できる。従って、例えばコイン回収穴２Ｆから遊技機本体４内における補助タンク５０の位置を移動させて補助タンク５０と筐体２の底板２Ｂとの間に隙間を形成し、その隙間から針金等の異物が挿入されるのを防ぐことができる。
【００９１】
タンク本体５１の底壁部１０１は、一定の板厚を有し、平面状に延在する形状を有している。タンク本体５１の開口穴５３は、例えば図７に点線で示すように、底壁部３０１の略中央位置に形成されており、コイン回収穴２Ｆの形状とほぼ一致する平面視で略矩形状をなし、開口穴５３の周りに底壁部１０１の上面１０１ａが所定幅で連続する大きさを有する。底壁部１０１は、蓋体５２が底壁部１０１の上面１０１ａに重ねて閉塞位置に配置された場合に、蓋体５２の下面２０１ｂと底壁部１０１の上面１０１ａとが開口穴５３の周りに周状に連続して対向して接面する。
【００９２】
底壁部１０１と左側壁部１０４との接続部分には、タンク本体５１内で蓋体５２を回動自在に支持する支持手段５６が設けられている。支持手段５６は、蓋体５３を回動させて開放位置と閉塞位置のいずれか一方に選択的に配置可能に支持しかつ回動軸方向に往復移動可能に支持する。
【００９３】
また、支持手段５６は、蓋体５２を閉塞位置と開放位置との中間の予め設定された傾斜角度位置に配置して取り外し方向であるタンク本体５１の上方に移動させた場合に、支持を解除して蓋体５２を取り外すことが可能な構成を有する。
【００９４】
支持手段５６は、蓋体５２の前側支持軸２１２を支持する前側支持部１３１と、蓋体５２の後側支持軸２１３を支持する後側支持部１３４によって構成される。前側支持部１３１と後側支持部１３４は、タンク本体５１の内方で互いに前後に離れた位置に設けられている。
【００９５】
前側支持部１３１は、左側壁部１０４との間に所定の間隙を開けて底壁部１０１から上方に起立するリブ１３２と、リブ１３２の上端に対向して左側壁部１０４から突出する爪部１３３を有する。
【００９６】
リブ１３２は、図１１に示すように、底壁部１０１からほぼ垂直に突出する腕部１３２ａと、腕部１３２ａの上端から左側壁部１０４の爪部１３３側に向かって突出する爪部１３２ｂを有する。腕部１３２ａは、左側壁部１０４との間に前側支持軸２１２の外径よりも若干広い間隔を有して対向し、前側支持軸２１２の外径よりも高い高さ位置まで突出している。爪部１３２ｂは、爪部１３２ｂと爪部１３３との間隔が、前側支持軸２１２の外径よりも狭く且つ前側支持軸２１２の一対の平坦面２１２ａ、２１２ｂの間隔とほぼ同一若しくは若干広い間隔となるように形成されている。前側支持部１３１は、リブ１３２の腕部１３２ａと左側壁部１０４との間で前側支持軸２１２を回転自在に支持し、且つ軸方向に往復移動可能に支持する。
【００９７】
爪部１３２ｂと爪部１３３との間には、スリット部１３１ａが形成されている。スリット部１３１ａは、前側支持軸２１２の取り外し方向であるタンク本体５１の上方に向かって開口し、蓋体５２を所定の傾斜角度位置に配置してタンク本体５１の上方に移動させた場合に前側支持軸２１２を通過させて前側支持部１３１から前側支持軸２１２の取り外しを可能にしている。
【００９８】
後側支持部１３４は、左側壁部１０４との間に所定の間隙を開けて底壁部１０１から上方に起立するリブ１３５と、リブ１３５の上端に対向して左側壁部１０４から突出する爪部１３６を有する。
【００９９】
リブ１３５は、底壁部１０１からほぼ垂直に突出する腕部１３５ａと、腕部１３５ａの上端から左側壁部１０４の爪部１３６側に向かって突出する爪部１３５ｂを有する。腕部１３５ａは、左側壁部１０４との間に後側支持軸２１３の外径よりも若干広い間隔を有して対向し、後側支持軸２１３の外径よりも高い高さ位置まで突出している。
【０１００】
爪部１３５ｂは、爪部１３５ｂと爪部１３６との間隔が、後側支持軸２１３の外径よりも狭く且つ後側支持軸２１３の一対の平坦面２１３ａ、２１３ｂの間隔とほぼ同一若しくは若干広い間隔となるように形成されている。後側支持部１３４は、リブ１３５の腕部１３５ａと左側壁部１０４との間で後側支持軸２１３を回転自在に支持し、且つ軸方向に往復移動可能に支持する。
【０１０１】
爪部１３５ｂと爪部１３６との間には、スリット部１３４ａが形成されている。スリット部１３４ａは、後側支持軸２１３の取り外し方向であるタンク本体５１の上方に向かって開口し、蓋体５２を所定の傾斜角度位置に配置して上方に向かって移動させた場合に後側支持軸２１３を通過させて後側支持軸２１３の後側支持部１３４からの取り外しを可能にしている。
【０１０２】
タンク本体５１の左側壁部１０４及び右側壁部１０５は、タンク本体５１の前後方向中間部分の方が前端部分及び後端部分よりも横幅方向外側に若干膨らむように、湾曲して形成されている。これにより、コインの重さに対するタンク本体５１の強度を向上させると共に、横幅方向内側への反りが防止されている。
【０１０３】
タンク本体５１の前壁部１０２は、開口部５４の前端縁部１０２ａを上端とし、開口部５４の前端縁部１０２ａから下方に延出する上前壁部１５１と、その上前壁部１５１の下端で折曲されて引き出し方向後側に水平に延在する中前壁部１５２と、中前壁部１５２の後端から下方に延出して底壁部１０１の前端に連結される下前壁部１５３を備える。
【０１０４】
そして、前壁部１０２には、引掛部５５が一体に形成されている。引掛部５５は、上前壁部１５１の下端から下方に突出し、下前壁部１５３の前方に対向して、下前壁部１５３との間に指先を下方から挿入可能な間隙を形成する垂下片１５４と、垂下片１５４の両側端部で後方に向かって折曲されて下前壁部１５３の左右の側端部に接続される側壁１５５を有する。
【０１０５】
垂下片１５４の長さは、下方から挿入した指先が第１関節くらいまで入り込む深さとなるように設定されている。側壁１５５は、垂下片１５４の両側端部と下前壁部１５３の両側端部との間をそれぞれ連結して、引掛部５５のタンク本体５１への取り付け剛性を向上させている。
【０１０６】
引掛部５５は、垂下片１５４と下前壁部１５３との間に下方から指先を挿入してタンク本体５１を筐体２の前方に引き出すことができる。そして、筐体２の内方から取り出した際に、指先が垂下片１５４と下前壁部１５３との間に挿入されているので、補助タンク５０を安定して持つことができる。従って、補助タンク５０を筐体２の内方から前方に引き出して持ち上げるという一連の作業を連続して円滑に行うことができる。
【０１０７】
また、前壁部１０２の中前壁部１５２と下前壁部１５３が、開口部５４の前端縁部１０２ａよりも引き出し方向後側に後退して開口部５４の内方に位置するように設けられているので、開口部５４の前端縁部１０２ａをタンク本体５１の前側位置に配置することができる。
【０１０８】
従って、引掛部５５を設けていながらも、開口部５４の前端縁部１０２ａを引き出し方向前側に配置でき、筐体２の内方の限られた空間内で開口部５４の開口面積をより広く確保することができる。
【０１０９】
従って、例えばホール従業員等によってホッパ１５から補助タンク５０にコインを掻き出す作業が行われた場合に、コイン排出口１８から排出されたコインを、筐体２から外部に飛び出させることなく、開口部５４から補助タンク５０のタンク本体５１内にスムーズに回収することができ、ホッパ１５から補助タンク５０へのコインの移動作業を迅速かつ容易に行わせることができる。
【０１１０】
タンク本体５１の後壁部１０３には、センサ挿入部５７が設けられている。センサ挿入部５７は、補助タンク５０を手動回収用として使用する場合に、筐体２に設けられた補助タンク５０内のコインの貯留状態を検出するコイン貯留状態検出手段のセンサ棒１９Ａ、１９Ｂが挿入される。
【０１１１】
センサ挿入部５７は、後壁部１０３の左右方向略中央位置に設けられており、後壁部１０３の上部位置に開口形成された第１センサ挿入穴１６１と、後壁部１０３の下部位置に開口形成された第２センサ挿入穴１６２を有する。
【０１１２】
第２センサ挿入穴１６２は、第２センサ挿入穴１６２に挿入されたセンサ棒１９Ｂがタンク本体５１の内方で蓋体５２の回動軌跡の途中位置に介在されて、蓋体５２を閉塞位置から開放側へ移動させた場合に蓋体５２をセンサ棒１９Ｂに当接させて蓋体５２の開放側への回動を規制する位置に開口形成されている。
【０１１３】
このように、センサ棒１９Ａ、１９Ｂが高さ位置を変えて上下に配置されているので、上側のセンサ棒１９Ａの高さ位置がコイン満杯時の検出位置とし、センサ棒１９Ｂが蓋体５２の開放側への回動を規制するのに用いることができ、センサ棒１９Ａ、１９Ｂを有効に利用することができる。
【０１１４】
また、タンク本体５１の後壁部１０３には、閉塞準備位置で蓋体５２を回動軸一方向側であるタンク本体５１の後方に向かって移動させた場合に蓋体５２の上面２０１ａと対向して蓋体５２との当接により蓋体５２の開放側への回動を規制する第１蓋体移動規制手段５８と、閉塞位置で蓋体５２を回動軸他方側であるタンク本体５１の前方に向かって付勢する第１付勢手段６１が設けられている。
【０１１５】
第１蓋体移動規制手段５８は、タンク本体５１の後壁部１０３から前方に向かって突出する一対の突起部１１４Ａ、１１４Ｂによって構成されている。一対の突起部１１４Ａ、１１４Ｂは、タンク本体５１の左右に離間して、底壁部１０１との間に所定の間隙を有して対向する位置に突設されている。そして、蓋体５２を閉塞準備位置で回動軸一方向側であるタンク本体５１の後方に向かって開口穴５３の開口面に沿って略平行に移動させた場合に、一対の突起部１１４Ａ、１１４Ｂと底壁部１０１との間に蓋体５２の後端部を円滑に挿入することができ、蓋体５２の上面２０１ａと対向し、蓋体５２との当接により蓋体５２の開放側への回動を規制するようになっている。また、開口穴５３の開口面と蓋体５２の下面が平行になっているため、隙間なく閉塞することができる。
【０１１６】
第１付勢手段６１は、一対の弾性部材１１５Ａ、１１５Ｂによって構成されている。一対の弾性部材１１５Ａ、１１５Ｂは、例えばスプリング部材からなり、タンク本体５１内で後壁部１０３に基端が固定されて前方に向かって延出するように設けられている。
【０１１７】
一対の弾性部材１１５Ａ、１１５Ｂは、蓋体５２を閉塞準備位置で回動軸一方向側であるタンク本体５１の後方に向かって移動させて蓋体５１の後端部を一対の突起部１１４Ａ、１１４Ｂと底壁部１０１との間に挿入した場合に、蓋体５２の後端面２０１ｄと当接して蓋体５２を回動軸他方側であるタンク本体５１の前方に向かって付勢して、蓋体５１の後端部を一対の突起部１１４Ａ、１１４Ｂと底壁部１０１との間から脱出させる付勢力を有する。
【０１１８】
そして、タンク本体５１内には、蓋体５２を閉塞準備位置で回動軸一方向側であるタンク本体５１の後方に向かって移動させる蓋体移動手段６０と、蓋体移動手段６０によって蓋体５２を閉塞準備位置で回動軸一方向側であるタンク本体５１の後方に向かって移動させた場合に、蓋体５２の開放側に対向して蓋体５２との当接により蓋体５２の開放側への回動を更に規制する第４蓋体移動規制手段５９が設けられている。なお、蓋体移動手段６０の回動軸一方向側であるタンク本体５１の後方に向かって移動させる機能は、第２蓋体移動規制手段６０に付加された機能であり、蓋体移動手段６０と第２蓋体移動規制手段６０は同一のものである。閉塞準備位置に蓋体５２を配置した状態で蓋体移動手段６０を回転させることで蓋体５２を開口穴５３の開口面に対し略平行に移動させることができ閉塞位置への閉塞操作を円滑に行うことができる。ここで、第４蓋体移動規制手段５９は、第１蓋体移動規制手段５８と同一方向の蓋体５２の移動を規制する手段であって、第１蓋体移動規制手段５８の同様な役割を果たす。
【０１１９】
また、第１蓋体移動規制手段５８の突起部１１４Ａ、１１４Ｂの下部であって、タンク本体５１の後壁部１０３の壁面には、リブ状の突起部２５２Ａ、２５２Ｂが設けられている。蓋体５２が閉塞準備位置で、蓋体５２を回動軸一方向側であるタンク本体５１の後方に向かって移動させた場合、上記のリブ状の突起部２５２Ａ、２５２Ｂに嵌合するスリット部２５４Ａ、２５４Ｂが、蓋体５２に設けられている。これらの突起部２５２Ａ、２５２Ｂ及びスリット部２５４Ａ、２５４Ｂにより第３蓋体移動規制手段２５０が主として構成される。
【０１２０】
第３蓋体移動規制手段２５０により、蓋体５２は閉塞位置において、回動軸一方向側及び開放方向への動きが規制される。従って、蓋体５２を閉塞位置においてより強固に固定し、更に、蓋体５２の大きさを開口穴５３の大きさと略同一に構成しても、蓋体５２とタンク本体５４との間には隙間が発生することを防ぎ、開口穴５３から種々の不正が行われることを防止する。
【０１２１】
本実施の形態では、上記の第２蓋体移動規制手段６０と第４蓋体移動規制手段５９は、操作手段１２１に設けられている。操作手段１２１は、タンク本体５１内で回転操作によって予め設定された開位置と閉位置に選択的に配置されるように設けられており、開位置から閉位置に回転操作された場合に、第２蓋体移動規制手段６０は、閉塞位置に配置された蓋体５２を回動軸一方向側であるタンク本体５１の後方に向かって移動させると共に、蓋体５２が閉塞位置にある場合に、５２蓋体の開口穴５３の開口面に対する略平行な移動、即ちタンク本体５１に対する蓋体５２の前後方向の移動を規制する。更に言い換えれば、蓋体５２の閉塞位置から閉塞準備位置への移動を規制する。また、第４蓋体移動規制手段５９は、蓋体５２の開放側に対向して蓋体５２との当接により蓋体５２の開放側への回動を規制する構成を有する。
【０１２２】
操作手段１２１は、底壁部１０１に設けられた支持穴に挿入されて固定手段１２５により回転可能に支持される軸部１２２と、軸部１２２に連続して設けられて軸部１２２の径方向に延在して底壁部１０１の上面１０１ａに沿って回転可能なカム部１２３と、カム部１２３よりも径方向外側に突出して操作手段１２１が予め設定された閉位置に配置された場合に蓋体５２の上面２０１ａと対向する腕部１２４を有する。
【０１２３】
軸部１２２は、図１５に示すように、略楕円形の断面形状を有しており、底壁部１０１の支持穴１１１に突設された突部１１２によって、４分の１回転ごとに節度を持って回転するように支持され、操作手段１２１を図１５（ａ）に示す開位置と、図１５（ｂ）に示す閉位置に位置決めする。
【０１２４】
カム部１２３は、軸部１２２を中心として回転し、開位置では、図１２（ａ）、（ｂ）に示すようにタンク本体５１の左右方向に延在し、蓋体５２が回動軸他方側で開閉するのを許容し、閉位置では、図１２（ｃ）に示すようにタンク本体５１の前後方向に延在して、蓋体５２の前端部に当接して蓋体５２を回動軸一方向側であるタンク本体５１の後方に向かって押し移動させる。このカム部１２３によって第２蓋体移動規制手段６０が構成される。
【０１２５】
腕部１２４は、カム部１２３と同一の方向に向かって突出し、閉位置では、図１４に示すように蓋体５２の上面２０１ａと対向し、蓋体５２と当接して蓋体５２の開放側への回動を規制する。この腕部１２４によって、蓋体５２の開放側への回動を規制する第４蓋体移動規制手段５９が構成される。
【０１２６】
腕部１２４には、凸部１２４ａが突設されており、操作手段１２１を閉位置に配置して蓋体５２の開放側への回動を規制した場合に、蓋体５２の上面２０１ａに凹設された凹部２０４に挿入されて、蓋体５２を位置決めする。
【０１２７】
蓋体５２は、平板部２０１と軸部２１１を有する。平板部２０１は、閉塞位置に配置された場合に、平板部２０１の下面２０１ｂと底壁部１０１の上面１０１ａとが開口穴５３の周りに周状に連続して対向して接面し、タンク本体５１の開口穴５３を閉塞する平板形状を有する。従って、閉塞位置において、コインの重さによって補助タンク５０の底が抜けるのを防ぐことができる。
【０１２８】
平板部２０１の基端側には、前側支持部１３１の突起部１３２との干渉を避けるための前側切欠部２０２が軸部２１１の前側支持軸２１２に沿って切欠形成され、また、後側支持部１３４のリブ１３５との干渉を避けるための後側切欠部２０３が軸部２１１の後側支持軸２１３に沿って切欠形成されている。
【０１２９】
平板部２０１の下面２０１ｂには、図６に示すように、複数本の凸条部２０８が設けられている。各凸条部２０８は、平板部２０１の長手方向に亘って前後に延在し且つ平板部２０１の横幅方向に所定間隔をおいて互いに並行に延在するように形成されており、平板部２０１の強度を補強し、蓋体５２が平板部２０１の長手方向に湾曲するのを抑制している。
【０１３０】
軸部２１１は、平板部２０１の基端側にて平板部２０１と一体に形成されて蓋体５２の長手方向に沿って一直線上に延在し、軸部２１１の両端位置に前側支持軸２１２と後側支持軸２１３が形成されている。
【０１３１】
前側支持軸２１２は、前側支持部１３１に回転自在に支持され、蓋体５２を回動させて所定の傾斜角度位置に配置した場合にのみ、前側支持部１３１から取り外すことができ、その他の角度位置、例えば閉塞位置や開放位置では前側支持部１３１からの取り外しが阻止されるように構成されている。
【０１３２】
前側支持軸２１２は、蓋体５２を所定の傾斜角度位置に配置した場合にスリット部１３１ａに対して径方向幅が狭く、蓋体５２を傾斜角度位置以外の角度位置に配置した場合にスリット部１３１ａに対して径方向幅が広い断面形状を有し、蓋体５２を傾斜角度位置に配置して取り外し方向に移動させた場合にスリット部１３１ａを通過させて前側支持部１３１から取り外すことができる。
【０１３３】
前側支持軸２１２は、本実施の形態では、前側支持軸２１２と同一の外径を有する丸棒の一部を平面状に面取りした形状を有しており、互いに平行な一対の平坦面２１２ａ、２１２ｂと、各平坦面２１２ａ、２１２ｂの間を連結する断面円弧状の摺動面２１２ｃを有する。
【０１３４】
一対の平坦面２１２ａ、２１２ｂは、例えば図１１（ａ）に示すように、互いの間隔Ｍが、リブ１３２の爪部１３２ｂと左側壁部１０４の爪部１３３と間のスリット部１３１ａの間隔Ｌよりも若干短い寸法（Ｍ＜Ｌ）、若しくはほぼ同一の寸法（Ｍ≒Ｌ）となるように形成されている。
【０１３５】
一対の平坦面２１２ａ、２１２ｂは、図９〜図１１に示すように、蓋体５２の平板部２０１と面一に延在する仮想平面に対して、蓋体５２の回動中心軸線である軸部２１１の中心軸線を回転中心として所定角度だけ回転させた傾斜角度に角度付けされて形成されている。
【０１３６】
平坦面２１２ａ、２１２ｂの傾斜角度は、図１１（ｃ）に示すように、蓋体５２が開放位置と閉塞位置との中間の予め設定された傾斜角度位置に配置された場合に、一対の平坦面２１２ａ、２１２ｂが蓋体５２の取り外し方向に沿って延在する角度、より詳しくは、底壁部１０１に対して直交する方向であるタンク本体５１の上下に延在する角度に設定されている。
【０１３７】
従って、蓋体５２を上記傾斜角度位置に配置することによって、前側支持軸２１２の一対の平坦面２１２ａ、２１２ｂをタンク本体５１の上下に延在させることができ、前側支持軸２１２の横幅を一対の平坦面２１２ａ、２１２ｂの間隔Ｍとし、スリット部１３１ａの間隔Ｌ以下とすることができる。そして、蓋体５２をそのままの姿勢状態で、図１１（ｃ）に仮想線で示すように、取り外し方向であるタンク本体５１の上方に移動させることにより、前側支持軸２１２をスリット部１３１ａに通過させて前側支持部１３１から取り外すことができる。
【０１３８】
一方、蓋体５２を閉塞位置（図１１（ａ）を参照）、若しくは開放位置（図１１（ｂ）を参照）に配置した場合には、前側支持軸２１２の横幅がスリット部１３１ａの間隔Ｌよりも大きな横幅になり、蓋体５２を取り外し方向であるタンク本体５１の上方に移動させても、前側支持軸２１２の摺動面２１２ｃがリブ１３２の爪部１３２ｂと左側壁部１０４の爪部１３３に当接して、前側支持軸２１２をスリット部１３１ａに通過させることはできず、前側支持部１３１から取り外すことはできない。
【０１３９】
従って、前側支持軸２１２は、リブ１３２の腕部１３２ａと左側壁部１０４との間で回転自在に支持され、蓋体５２を所定の傾斜角度位置に配置した場合にのみ、前側支持部１３１から取り外すことができ、蓋体５２を閉塞位置、若しくは開放位置に配置した場合には、前側支持部１３１からの取り外しが阻止される。
【０１４０】
尚、本実施の形態では、蓋体５２を所定の傾斜角度位置に配置した場合に前側支持軸２１２をスリット部１３１ａの間を通過させることができる構成の例として、一対の平坦面２１２ａ、２１２ｂの間隔Ｍが、スリット部１３１ａの間隔Ｌよりも若干短い寸法（Ｍ＜Ｌ）、若しくはほぼ同一の寸法（Ｍ≒Ｌ）となるように形成された構成を例に説明したが、この構成に限定されるものではない。
【０１４１】
例えば一対の平坦面２１２ａ、２１２ｂの間隔Ｍをスリット部１３１ａの間隔Ｌよりも若干大きい寸法（Ｍ＞Ｌ）とし、蓋体５２を予め設定された傾斜角度位置で取り外し方向に所定値以上の力で付勢した場合に、リブ１３２の腕部１３２ａを弾性変形させて、スリット部１３１ａの間隔Ｌを広げて、前側支持軸２１２を通過させることができ、その他の角度位置では前側支持軸２１２を通過させることができない構成としてもよい。
【０１４２】
これによれば、所定の傾斜角度位置に配置された蓋体５２を所定値以上の力で取り外し方向に付勢しない限り、スリット部１３１ａを通過させることができないので、例えば補助タンク５０が上下逆に保持されて蓋体５２がタンク本体５１に対して所定の傾斜角度位置に配置された場合に、前側支持軸２１２が前側支持部１３１から抜け落ちるのを防ぐことができる。
【０１４３】
また、本実施の形態では、前側支持軸２１２は、互いに平行な一対の平坦面２１２ａ、２１２ｂを有する場合を例に説明したが、この構成に限定されるものではなく、所定の傾斜角度位置でスリット部１３１ａを通過させることができ、その他の角度位置ではスリット部１３１ａを通過させることができない形状であればよい。例えば断面が長方形や楕円形等のように、所定の傾斜角度位置では前側支持軸２１２の径方向幅がスリット部１３１ａの間隔Ｌよりも狭く、その他の角度位置では前側支持軸２１２の径方向幅がスリット部１３１ａの間隔以上となる形状でもよい。
【０１４４】
後側支持軸２１３は、後側支持部１３４に回転自在に支持され、蓋体５２を回動させて所定の傾斜角度位置に配置した場合にのみ、後側支持部１３４から取り外すことができ、その他の角度位置、例えば閉塞位置や開放位置では後側支持部１３４からの取り外しが阻止されるように構成されている。
【０１４５】
後側支持軸２１３は、蓋体５２を所定の傾斜角度位置に配置した場合にスリット部１３４ａに対して径方向幅が狭く、蓋体５２を傾斜角度位置以外の角度位置に配置した場合にスリット部１３４ａに対して径方向幅が広い断面形状を有し、蓋体５２を傾斜角度位置に配置して取り外し方向に移動させた場合にスリット部１３４ａを通過させて後側支持部１３４から取り外すことができる。
【０１４６】
後側支持軸２１３は、本実施の形態では、前側支持軸２１２と同一の外径を有する丸棒の一部を平面状に面取りした形状を有しており、図１０に示すように、互いに平行な一対の平坦面２１３ａ、２１３ｂと、各平坦面２１３ａ、２１３ｂの間を連結する断面円弧状の摺動面２１３ｃを有する。
【０１４７】
一対の平坦面２１３ａ、２１３ｂは、互いの間隔がリブ１３５の爪部１３５ｂと左側壁部１０４の爪部１３６と間のスリット部１３４ａの間隔よりも若干短い寸法、若しくはほぼ同一の寸法となるように形成されている。
【０１４８】
一対の平坦面２１３ａ、２１３ｂは、図１０に示すように、蓋体５２の平板部２０１と面一に延在する仮想平面に対して、蓋体５２の回動中心軸線である軸部２１１の中心軸線を回転中心として所定角度だけ回転させた傾斜角度に角度付けされて形成されている。
【０１４９】
平坦面２１３ａ、２１３ｂの傾斜角度は、蓋体５２を上記傾斜角度位置に配置した場合に、一対の平坦面２１３ａ、２１３ｂが底壁部１０１に対して直交する方向であるタンク本体５１の上下方向に延在する角度に設定されている。
【０１５０】
従って、蓋体５２を上記傾斜角度位置に配置することによって、後側支持軸２１３の一対の平坦面２１３ａ、２１３ｂをタンク本体５１の上下に延在させることができ、後側支持軸２１３の横幅を一対の平坦面２１３ａ、２１３ｂの間隔とし、スリット部１３４ａの間隔以下とすることができる。そして、蓋体５２をそのままの姿勢状態で取り外し方向であるタンク本体５１の上方に移動させることにより、後側支持軸２１３をスリット部１３４ａに通過させて後側支持部１３４から取り外すことができる。
【０１５１】
一方、蓋体５２を閉塞位置若しくは開放位置に配置した場合には、後側支持軸２１３の横幅がスリット部１３４ａの間隔よりも大きな横幅になり、蓋体５２を取り外し方向であるタンク本体５１の上方に移動させても、後側支持軸２１３の摺動面２１３ｃがリブ１３５の爪部１３５ｂと左側壁部１０４の爪部１３６に当接して、後側支持軸２１３をスリット部１３４ａに通過させることはできず、後側支持部１３４から取り外すことはできない。
【０１５２】
従って、後側支持軸２１３は、リブ１３５の腕部１３５ａと左側壁部１０４との間で回転自在に支持され、蓋体５２を所定の傾斜角度位置に配置した場合にのみ、後側支持部１３４から取り外すことができ、蓋体５２を閉塞位置、若しくは開放位置に配置した場合には、後側支持部１３４からの取り外しが阻止される。
【０１５３】
尚、本実施の形態では、蓋体５２を所定の傾斜角度位置に配置した場合に後側支持軸２１３をスリット部１３４ａの間を通過させることができる構成の例として、一対の平坦面２１３ａ、２１３ｂの間隔が、スリット部１３４ａの間隔よりも若干短い寸法、若しくはほぼ同一の寸法となるように形成された構成を例に説明したが、この構成に限定されるものではない。
【０１５４】
例えば一対の平坦面２１３ａ、２１３ｂの間隔をスリット部１３４ａの間隔よりも若干大きい寸法とし、蓋体５２を予め設定された傾斜角度位置で取り外し方向に所定値以上の力で付勢した場合に、リブ１３５の腕部１３５ａを弾性変形させて、スリット部１３４ａの間隔を広げて、後側支持軸２１３を通過させることができ、その他の角度位置では後側支持軸２１３を通過させることができない構成としてもよい。
【０１５５】
これによれば、所定の傾斜角度位置に配置された蓋体５２を所定値以上の力で取り外し方向に付勢しない限り、スリット部１３４ａを通過させることができないので、例えば補助タンク５０が上下逆に保持されて蓋体５２がタンク本体５１に対して所定の傾斜角度位置に配置された場合に、後側支持軸２１３が後側支持部１３４から抜け落ちるのを防ぐことができる。
【０１５６】
また、本実施の形態では、後側支持軸２１３は、互いに平行な一対の平坦面２１３ａ、２１３ｂを有する場合を例に説明したが、この構成に限定されるものではなく、所定の傾斜角度位置でスリット部１３４ａを通過させることができ、その他の角度位置ではスリット部１３４ａを通過させることができない形状であればよい。例えば断面が長方形や楕円形等のように、所定の傾斜角度位置では後側支持軸２１３の径方向幅がスリット部１３４ａの間隔よりも狭く、その他の角度位置では後側支持軸２１３の径方向幅がスリット部１３４ａの間隔以上となる形状でもよい。
【０１５７】
タンク本体５１と蓋体５２との間には、蓋体５２を開放側に向かって付勢して開放位置に保持する第２付勢手段６２が介装されている。第２付勢手段６２は、本実施の形態では、コイルばね２２１によって構成されている。コイルばね２２１は、例えば図７に示すように、円筒状に捲回された捲回部２２１ａと、捲回部２２１ａの軸方向一方側から捲回部２２１ａの径方向外側に向かって突出する第１腕部２２１ｂと、捲回部２２１ａの軸方向他方側から捲回部２２１ａの径方向外側に向かって突出する第２腕部２２１ｃとを有する。
【０１５８】
コイルばね２２１は、前側支持軸２１２に捲回部２２１ａが外嵌されて軸方向に往復移動可能とされ、底壁部１０１の上面１０１ａに沿って第１腕部２２１ｂが延在し、底壁部１０１の支持孔１１３に第１腕部２２１ｂの先端が挿入され、蓋体５２の平板部２０１の下面２０１ｂに沿って第２腕部２２１ｃが延在し、蓋体５２の支持孔２０５に第２腕部２２１ｃの先端が挿入されて取り付けられている。
【０１５９】
コイルばね２２１は、かかる取付状態で蓋体５２を開方向に向かって付勢する。コイルばね２２１の付勢力は、蓋体５２を閉塞位置から開放側に向かって回動させて開放位置に保持できるように設定されている。尚、本実施の形態では第２付勢手段６２がコイルばね２２１によって構成される場合を例に説明したが、蓋体５２を閉塞位置から開放側に向かって付勢して開放位置に保持する付勢力を有し、且つ蓋体５２の回動軸方向への往復移動を許容するものであればよく、例えば板ばね等を用いてもよい。
【０１６０】
上記蓋体５２のタンク本体５１への組み付けは、まず最初に、コイルばね２２１を取り付けた状態で蓋体５２をタンク本体５１の上方から内方に挿入して、蓋体５２の前側支持軸２１２を前側支持部１３１の上方に配置し、後側支持軸２１３を後側支持部１３４の上方に配置する。
【０１６１】
それから、蓋体５２を予め設定された傾斜角度位置に調整して、前側支持軸２１２の平坦面２１２ａ、２１２ｂと後側支持軸２１３の平坦面２１３ａ、２１３ｂがそれぞれ取り外し方向であるタンク本体５１の上下に延在するように配置する。
【０１６２】
そして、蓋体５２をそのままの姿勢状態で下方に移動させて、前側支持軸２１２を前側支持部１３１のスリット部１３１ａに通過させて前側支持部１３１に支持させ、後側支持軸２１３を後側支持部１３４のスリット部１３４ａに通過させて後側支持部１３４に支持させる。
【０１６３】
そして、コイルばね２２１の第１腕部２２１ｂの先端を底壁部１０１の支持穴１１３に挿入する。これにより、蓋体５２は、タンク本体５１の内方でタンク本体５１に回動自在に支持され、コイルばね２２１によって常に開放側に付勢された状態でタンク本体５１に組み付けられる。
【０１６４】
次に、上記補助タンク５０の蓋体５２を開閉操作する方法について説明する。まず、操作手段１２１が開位置に配置された状態では、蓋体５２は、図１２（ａ）に示すように、コイルばね２２１の付勢力によって開放位置に保持され、タンク本体５１の開口穴５３が開放された状態とされる。
【０１６５】
タンク本体５１の開口穴５３を閉塞するには、図１２（ａ）〜（ｃ）に示すように、コイルばね２２１の付勢力に抗して蓋体５２を開放位置から閉塞側に向かって回動させて閉塞準備位置に配置し、操作手段１２１を回転操作して開位置から閉位置に配置する。
【０１６６】
これにより、蓋体５２は、開口穴５３を閉塞した状態で蓋体５２の前端面２０１ｃが操作手段１２１のカム部１２３と当接して、回動軸一方向側であるタンク本体５１の後方に向かって押し移動される。
【０１６７】
そして、図１３（ｂ）、（ｃ）に示すように、蓋体５２の後端面２０１ｄが第１付勢手段６１の一対の弾性部材１１５Ａ、１１５Ｂと当接して、これら一対の弾性部材１１５Ａ、１１５Ｂを押し縮めながら蓋体５２が後方に移動すると共に、蓋体５２の後端部に設けられたスリット部２５４Ａ、２５４Ｂが、第１蓋体移動規制手段５８の突起部１１４A、１１４Ｂの下部であって、後壁部１０３の壁面に設けられたリブ状の突起部２５２Ａ、２５２Ｂに嵌合し、蓋体５２の後端部がタンク本体５１の底壁部１０１と第１蓋体移動規制手段５８の突起部１１４Ａ、１１４Ｂとの間に挿入される。また、操作手段１２１の第４蓋体移動規制手段５９である腕部１２４が蓋体５２の前方から蓋体５２の上方に移動して、図１４に示すように、腕部１２４の凸部１２４ａが蓋体５２の凹部２０４に挿入される。
【０１６８】
従って、蓋体５２は、後端部の開放側に第１蓋体移動規制手段５８の突起部１１４Ａ、１１４Ｂが対向して配置され、且つ後端部に設けられたスリット部２５４Ａ、２５４Ｂが第１蓋体移動規制手段５８の突起部１１４Ａ、１１４Ｂの下部に設けられたリブ状の突起部２５２Ａ、２５２Ｂに嵌合し、然も前端部２０１ｃが第２蓋体移動規制手段６０のカム部１２３に当接され、加えて前端部開放側に第４蓋体移動規制手段５９の腕部１２４が対向して配置されて、閉塞位置から開放側への回動が規制された状態とされる。
【０１６９】
従って、操作手段１２１を開位置から閉位置に回転操作するだけという、極めて簡単な操作で蓋体５２を閉塞位置に保持することができる。これにより、例えばタンク本体５１の下方から蓋体５２を突き上げて開放側に回動させようとした場合に、第１蓋体移動規制手段５８と第４蓋体移動規制手段５９によって蓋体５２の開放側への回動を規制し、蓋体５２が開放側に不正に回動されるのをより強固に防ぐことができる。
【０１７０】
また、例えばタンク本体５１の下方から蓋体５２を回動軸他方側に移動させようとした場合に、第２蓋体移動規制手段６０のカム部１２３によって蓋体５２の回動軸他方側への移動が規制され、蓋体５２の回動規制が不正に解除されるのを防ぐことができる。
【０１７１】
蓋体５２は、第１蓋体移動規制手段５８と第４蓋体移動規制手段５９によって蓋体５２の長手方向である前後の両端箇所で開放側への回動が規制される。従って、蓋体５２を閉塞位置に強固に保持することができ、不正に開放側へ回動させようとする、より大きな力にも耐えることができる。従って、蓋体５２が不正に開放側に回動させるのを困難化でき、開口穴５３が不正に開放されるのを有効に防ぐことができる。
【０１７２】
蓋体５２は、開放側への回動が規制された状態では、第１付勢手段６１の弾性部材１１５Ａ、１１５Ｂによって回動軸他方側であるタンク本体５１の前方に向かって付勢されて、所定の押圧力で第２蓋体移動規制手段６０のカム部１２３に押し付けられている。また、蓋体５２は、第２付勢手段６２によって開放側に回動する方向に付勢されており、第１蓋体移動規制手段５８の突起部１１４Ａ、１１４Ｂと第４蓋体移動規制手段５９の腕部１２４に押し付けられている。そして、第３蓋体移動規制手段２５０により蓋体５２のタンク本体５４に対して左右方向の移動が規制されている。
【０１７３】
従って、閉塞位置における蓋体５２の回動軸方向及び回動方向のガタつきが抑制され、蓋体５２をしっかりと固定でき、例えば振動に起因した蓋体５２からのビビリ音の発生等を防ぐことができる。
【０１７４】
一方、タンク本体５１の開口穴５３を開放するには、操作手段１２１を回転操作して閉位置（図１２（ｃ）を参照）から開位置（図１２（ｂ）を参照）に配置する。
【０１７５】
この操作手段１２１の操作によって、蓋体５２は、カム部１２３による回動軸一方向側への付勢が解除され、第１付勢手段６１の弾性部材１１５Ａ、１１５Ｂによって回動軸他方側であるタンク本体５１の前方に向かって移動され、第３蓋体移動規制手段２５０の突起部２５２Ａ、２５２Ｂから離脱し、且つ蓋体５２の後端部がタンク本体５１の底壁部１０１と第１蓋体移動規制手段５８の突起部１１４Ａ、１１４Ｂとの間から脱出し、蓋体５２の後端部と第１蓋体移動規制手段５８の突起部１１４Ａ、１１４Ｂとの対向が解除される。また、操作手段１２１の腕部１２４が蓋体５２の上方から蓋体５２の前方に移動され、蓋体５２の前端部と腕部１２４との対向が解除される。
【０１７６】
従って、蓋体５２は、第１蓋体移動規制手段５８及び第４蓋体移動規制手段５９による開放側への回動規制が解除され、第２付勢手段６２のコイルばね２２１によって閉塞位置から開放側に向かって回動されて、開放位置に保持され、タンク本体５１の開口穴５３を開放する。
【０１７７】
従って、操作手段１２１を閉位置から開位置に回転操作するだけという、極めて簡単な操作で開口穴５３を自動的に開放することができ、タンク本体５１の開口穴５３を閉塞状態から開放状態に迅速かつ容易に変更することができる。
【０１７８】
ここで、図４のＸ−Ｘ断面図である図１６は、筐体２の内方に補助タンク５０が装着された状態を正面から示す断面図である。
【０１７９】
上記構成を有する補助タンク５０を、蓋体５２が閉塞位置に配置された状態で筐体２の内方に装着した場合、図４及び図１６に示すように、タンク本体５１の第１センサ挿入穴１６１と第２センサ挿入穴１６２にセンサ棒１９Ａ、１９Ｂが挿入され、センサ棒１９Ｂが蓋体５２の回動軌跡の途中位置で且つ蓋体５２の開放側に対向する位置に配置される。
【０１８０】
従って、仮に蓋体５２が閉塞位置から開放側に回動された場合であっても、図１６に仮想線で示すように、センサ棒１９Ｂに蓋体５２の平板部２０１の上面２０１ａを当接させて蓋体５２の開放側への回動を規制することができる。
【０１８１】
従って、例えばスロットマシン１を島設備に設置する前や、中古機として移設するために島設備から取り外された状態等、スロットマシン１単体の状態とされて筐体２の底板２Ｂのコイン回収穴２Ｆが露出する状況において、蓋体５２を閉塞位置に配置した状態で補助タンク５０を遊技機本体４内に装着しておくことにより、コイン回収穴２Ｆから手や器具等が挿入されて蓋体５２が閉塞位置から開放側に回動された場合に、蓋体５２の開放側への回動を規制し、開口穴５３が開放されるのを防ぐことができる。
【０１８２】
従って、筐体２のコイン回収穴２Ｆから補助タンク５０の開口穴５３を通して本体４内に針金や特殊工具等の異物が挿入されるのを防ぐことができ、このような異物を使用した種々の不正行為を未然に防ぐことができる。
【０１８３】
また、本実施の形態では、蓋体５２をタンク本体５１から取り外すことが可能な傾斜角度位置よりも、蓋体５２を開放側に回動させてセンサ棒１９Ｂに当接させた場合の傾斜角度位置の方が閉塞側に位置するように、センサ棒１９Ｂの高さ位置が設定されている。
【０１８４】
従って、蓋体５２が閉塞位置から開放側に回動された場合に、センサ棒１９Ｂに当接させて蓋体５２の開放側への回動を規制すると共に、蓋体５２がタンク本体５１から取外可能な傾斜角度位置に配置されるのを防ぐことができる。
【０１８５】
従って、蓋体５２がタンク本体５１から取り外されて開口穴５３が開放されるのを防ぐことができ、例えば筐体２のコイン回収穴２Ｆから補助タンク５０の開口穴５３を通して本体４内に針金や特殊工具等の異物が挿入されるのを防ぎ、このような異物を使用した種々の不正行為を未然に防ぐことができる。
【０１８６】
また、補助タンク５０は、筐体２の内方に装着されて前面扉３を閉じた場合に、図４及び図１６に示すように、タンク本体５１が右側板２Ｅ、背板２Ｃ、スピーカ３２Ｒ等に当接して補助タンク移動規制手段として作用し、補助タンク５０の上下左右、及び前後の移動が規制される。
【０１８７】
従って、従来から遊技機本体４内に存在する既存部材を利用して補助タンク５０の移動を規制することができ、部品点数を増加させることなく、補助タンク移動規制手段を構成することができる。
【０１８８】
従って、コイン回収穴２Ｆから手や器具等が挿入されて補助タンク５０の位置が変更されるのを防ぐことができ、コイン回収穴２Ｆから筐体２の内部に連通する隙間が形成されるのを防ぐことができる。
【０１８９】
従って、筐体２のコイン回収穴２Ｆから隙間を通して筐体２の内部に針金等の異物が挿入されるのを防止でき、このような異物を使用した種々の不正行為を未然に防ぐことができる。
【０１９０】
尚、本実施の形態では、補助タンク５０の筐体２の内方における位置決めを、ホッパ１５、スピーカ３２Ｒ、右側板２Ｅ、背板２Ｃ等によって行う構成を例に説明したが、レール部材等を設けて補助タンク５０を筐体２の内方で前後方向に案内可能に支持し、前後左右、及び上下方向の移動を規制してもよい。
【０１９１】
上記構成を有する補助タンク５０によれば、蓋体５２を回動させて閉塞位置と開放位置のいずれか一方に選択的に配置できるので、開口穴５３を開放状態から閉塞状態に切り替えて手動回収に対応させ、また、閉塞状態から開放状態に切り替えて自動回収に対応させることができる。
【０１９２】
従って、例えば遊技媒体であるコインが自動回収される遊技ホールや島設備に配設されていたスロットマシン１を、コインが手動回収される遊技ホールや島設備に移動させた場合に、補助タンク５０の蓋体５２を開放位置から閉塞位置に回動させて、補助タンク５０の開口穴５３を閉塞し、補助タンク５０を自動回収に対応するものから手動回収に対応するものに変更することができる。
【０１９３】
従って、補助タンク５０を新たに購入する必要がなく、スロットマシン１の移設に伴うコストを低減することができる。また、蓋体５２がタンク本体５１に回動自在に支持されているので、例えば補助タンク５０の開口穴５３を開放させた状態で使用していた場合に、蓋体５２の紛失を防ぐことができる。
【０１９４】
また、例えばコインが自動回収される遊技ホールや島設備に配設されていたスロットマシン１をコインが手動回収される遊技ホールや島設備に移動させる場合等、コイン回収穴２Ｆが露出される状況において、補助タンク５０の蓋体５２を閉塞位置に保持させて、筐体２の底板２Ｂに開口しているコイン回収穴２Ｆを補助タンク５０によって閉塞し、筐体２の内部と外部との間を隔絶することができる。従って、コイン回収穴２Ｆから筐体２の内部にゴミなどの異物が侵入するのを防ぐことができる。
【０１９５】
また、補助タンク５０に蓋体回転規制手段を設けて、閉塞位置に配置された蓋体５２の開放側に第１蓋体移動規制手段５８、及び、第２蓋体移動規制手段５９を対向させて、蓋体５２との当接により蓋体５２の開放側への回動を規制するので、蓋体５２を閉塞位置に強固に保持することができる。
【０１９６】
従って、例えばスロットマシン１を島設備に設置する前や、中古機として移設するために島設備から取り外された状態等、スロットマシン１単体の状態とされて筐体２の底板２Ｂのコイン回収穴２Ｆが露出する状況において、コイン回収穴２Ｆから手や器具等が挿入されてタンク本体５１の下方から蓋体５２を突き上げて蓋体５２を閉塞位置から開放側に回動させようとした場合に、第１蓋体移動規制手段５８と、第４蓋体移動規制手段５９に当接させて蓋体５２の開放側への移動を規制して、補助タンク５０の開口穴５３が不正に開放されるのを防ぐことができる。
【０１９７】
特に、第１蓋体移動規制手段５８と第４蓋体移動規制手段５９という複数の蓋体移動規制手段を用いて、蓋体５２の長手方向である前後の両端箇所で蓋体５２の開放側への移動を規制するので、突き上げ時における蓋体５２の撓み変形を効果的に抑制でき、蓋体５２とタンク本体５１との間に開口穴５３を通過する不正な隙間が形成されるのを防ぐことができる。
【０１９８】
そして、操作手段１２１を開位置から閉位置に回転操作するだけで、第２蓋体移動規制手段６０及び蓋体移動手段６０を構成するカム部１２３によって蓋体５２を閉塞位置で回動軸一方向側であるタンク本体５１の後方に向かって簡単に移動させることができ、同時に、第４蓋体移動規制手段５９の腕部１２４を蓋体５２の前方から蓋体５２の上方に移動させることができ、蓋体５２の開放側への回動を規制することができる。
【０１９９】
また、操作手段１２１を閉位置から開位置に回転操作するだけで、第１付勢手段６１の弾性部材１１５Ａ、１１５Ｂによって蓋体５２を閉位置で回動軸他方側であるタンク本体の前方に向かって移動させることができ、同時に第４蓋体移動規制手段５９の腕部１２４を蓋体５２の上方から蓋体５２の前方に移動させることができ、蓋体５２の開放側への回動規制を簡単に解除することができる。そして、第２付勢手段６２のコイルばね２２１によって蓋体５２を閉塞位置から開放側に回動させて、開放位置に保持することができ、タンク本体５１の開口穴５３を簡単に開放させることができる。
【０２００】
補助タンク５０は、蓋体５２を開放位置と閉塞位置の中間の予め設定された傾斜角度位置に配置された状態でのみタンク本体５１から取り外すことができ、蓋体５２が閉塞位置や開放位置に配置されている場合には、取り外すことができないようになっている。
【０２０１】
これにより、蓋体５２をタンク本体５１から取り外すことができる位置を、蓋体５２の姿勢が不安定で位置決めが困難な位置としている。従って、蓋体５２の姿勢が安定して蓋体５２に対する不正行為が行われやすい位置である、閉塞位置や開放位置での蓋体５２の取り外しを困難なものとし、蓋体５２の取り外しによる不正行為を有効に防止できる。
【０２０２】
また、蓋体５２を予め設定された角度位置に保持した状態でタンク本体５１内に挿入して組み立てるので、製造工場における組立作業を容易化できる。
【０２０３】
尚、上述の第１実施の形態では、第２蓋体移動規制手段５９と蓋体移動手段６０を操作手段１２１という一部材で構成した場合を例に説明したが、これらを互いに独立して別個に設けてもよい。
【０２０４】
また、上述の第１実施の形態では、第２蓋体移動規制手段５９の腕部１２４に凸部１２４ａを設け、この凸部１２４ａが挿入される凹部２０４を蓋体５２の上面２０１ａに設けた場合を例に説明したが、タンク本体５１に対して蓋体５２を閉位置で位置決めできる構成であればよく、例えば、第２蓋体移動規制手段５９の腕部１２４に凹部を設け、この凹部に挿入される凸部を蓋体５２の上面２０１ａに設けてもよい。
【０２０５】
また、図４に示すように蓋体５２が閉塞した状態でタンク本体５１を筐体内に配置した場合、コイン回収穴２Ｆを通してタンク本体５１の下面から触れることのできない位置に固定手段１２５を配置しているため、コイン回収穴２Ｆを通したタンク本体５２の下面からの不正に強くなっている。
【０２０６】
［第２実施の形態］
次に、本発明の第２実施の形態について説明する。図１７は、補助タンク５０の蓋体５２を開閉操作する方法について説明する図、図１８は、図１７のＶＩＩＩ−ＶＩＩＩ線断面矢視図、図１９は、図１７のＩＸ方向矢視図である。尚、従来と同様の構成要素には同一の符号を付することでその詳細な説明を省略する。
【０２０７】
タンク本体５１の底壁部１０１には、操作手段１７１が予め設定された開位置又は閉位置に選択的に配置されて、固定手段１７５によってタンク本体５１に着脱可能に固定されている。
【０２０８】
操作手段１７１は、閉位置に配置されて固定された場合に、蓋体５２の回動軸他方側であるタンク本体５１の前方への移動を規制すると共に、蓋体５２の開放側に対向して蓋体５２との当接により蓋体５２の開放側への回動を規制し、開位置に配置された固定された場合に、蓋体５２の回動軸他方側であるタンク本体５１の前方への移動を許容し、蓋体５２の閉塞位置から開放側への回動を許容する構成を有する。
【０２０９】
操作手段１７１は、互いに一体に形成されたカム部１７２と腕部１７３を有する。カム部１７２は、操作手段１７１を閉位置に配置した場合に、図１９に実線で示すように底壁部１０１の上面１０１ａに沿ってタンク本体５１の前後方向に延在し、閉塞位置に配置された蓋体５２の先端面２０１ｃと当接して蓋体５２を回動軸一方向側であるタンク本体５１の後方に向かって移動させ、蓋体５２の後端部を第１蓋体移動規制手段５８の突起部１１４Ａ、１１４Ｂと底壁部１０１の上面１０１ａとの間に挿入させる。
【０２１０】
そして、操作手段１７１を開位置に配置した場合に、図１９に仮想線で示すように底壁部１０１の上面１０１ａに沿ってタンク本体５１の左右方向に延在し、閉塞位置に配置された蓋体５２の先端面２０１ｃから離れて、蓋体５２の回動軸他方側への移動を許容する。
【０２１１】
腕部１７３は、操作手段１７１を閉位置に配置した場合に、図１８に示すように、タンク本体５２１の前後方向に延在して蓋体５２の上面２０１ａと対向し、蓋体５２との当接により蓋体５２の開放側への回動を規制する。
【０２１２】
腕部１７３には、凸部１７３ａが突設されており、操作手段１７１を閉位置に配置した場合に、蓋体５２の凹部２０４に挿入されて、タンク本体５１に対する蓋体５２の位置決めがなされる。この腕部１７３によって、蓋体５２の開放側への回動を規制する第４蓋体移動規制手段５９が構成される。
【０２１３】
操作手段１７１には、固定手段１７５の固定ねじ１７６が挿通される貫通孔１７４が穿設されている。貫通孔１７４は、操作手段１７１を開位置又は閉位置に配置した場合に、操作手段１７１を上下に貫通して、底壁部１０１のねじ穴１８３に同軸上に連続するように形成されている。
【０２１４】
タンク本体５１の底壁部１０１には、操作手段１７１を予め設定された開位置と閉位置にそれぞれ位置決めする位置決め手段１８１と、位置決め手段１８１によって位置決めされた操作手段１７１を底壁部１０１に固定するためのねじ穴１８３が設けられている。
【０２１５】
位置決め手段１８１は、閉塞位置に配置された蓋体５２の前端面２０１ｃよりもタンク本体５１の前方に位置する箇所に設けられている。位置決め手段１８１は、底壁部１０１の上面１０１ａからタンク本体５１の上方に向かって突出する複数の突起部１８２によって構成されており、各突起部１８２の間に操作手段１７１のカム部１７２を嵌め込むことができ、カム部１７２を嵌め込む方向によって操作手段１７１を開位置と閉位置に位置決めできるようになっている。
【０２１６】
ねじ穴１８３は、各突起部１８２の略中間位置で底壁部１０１の上面１０１ａから上方に向かって突出するボス部１８４に螺設されており、タンク本体５１の下方に向かって延在するように形成されている。そして、操作手段１７１の貫通孔１７４に挿通された固定ねじ１７６を螺入して、操作手段１７１を開位置又は閉位置に固定できるようになっている。
【０２１７】
次に、上記補助タンク５０の蓋体５２を開閉操作する方法について説明する。まず、開位置に操作手段１７１が配置された蓋体５２は、図１７（ａ）に示すように、コイルばね２２１の付勢力によって開放位置に保持され、タンク本体５１の開口穴５３が開放された状態とされる。
【０２１８】
タンク本体５１の開口穴５３を閉塞するには、固定手段１７５の固定ねじ１７６を取り外して操作手段１７１の固定を解除し、操作手段１７１をタンク本体５１から取り外す。
【０２１９】
それから、コイルばね２２１の付勢力に抗して蓋体５２を開放位置から閉塞側に向かって回動させて閉塞位置に配置し、更に、回動軸一方向側であるタンク本体５１の後方に移動させる。
【０２２０】
そして、図１３に示すように、蓋体５２の後端面２０１ｄを第１付勢手段６１の一対の弾性部材１１５Ａ、１１５Ｂに当接させて、これら一対の弾性部材１１５Ａ、１１５Ｂを押し縮めながら蓋体５２を後方に移動させ、蓋体５２の後端部をタンク本体５１の底壁部１０１と一対の突起部１１４Ａ、１１４Ｂとの間に挿入させる。そして、図１７（ｂ）、図１７（ｃ）に示すように、操作手段１７１を閉位置に配置して、固定手段１７５の固定ねじ１７６で固定する。
【０２２１】
これにより、蓋体５２は、開口穴５３を閉塞した状態で蓋体５２の前端面２０１ｃが操作手段１７１のカム部１７２と当接して、回動軸一方向側であるタンク本体５１の後方に移動した状態に保持される。また、図１８に示すように、操作手段１７１の腕部１７３が蓋体５２の上方に配置されて、腕部１７３の凸部１７３ａが蓋体５２の凹部２０４に挿入される。
【０２２２】
従って、蓋体５２は、後端部の開放側に第１蓋体移動規制手段５８の突起部１１４Ａ、１１４Ｂが対向して配置され、且つ、前端部の開放側に第２蓋体移動規制手段６０のカム部１７２が対向して配置され、然も、第４蓋体移動規制手段５９の腕部１２４が蓋体５２の上面２０１ａに対向して配置され、閉塞位置から開放側への回動が規制された状態とされる。また、蓋体５２は、蓋体５２の凹部２０４に腕部１７３の凸部１７３ａが挿入されて位置決めがなされる。
【０２２３】
従って、例えばタンク本体５１の下方から蓋体５２を突き上げて開放側に回動させようとした場合に、第１蓋体移動規制手段５８と第２蓋体移動規制手段６０と第４蓋体移動規制手段５９によって蓋体５２の開放側への移動を規制し、蓋体５２が開放側に不正に回動されるのを防ぐことができる。
【０２２４】
また、例えばタンク本体５１の下方から蓋体５２を回動軸他方側に移動させようとした場合に、第２蓋体移動規制手段６０のカム部１７２によって蓋体５２の回動軸他方側への移動を規制し、蓋体５２の回動規制が不正に解除されるのを防ぐことができる。
【０２２５】
また、第１蓋体移動規制手段５８と第２蓋体移動規制手段６０によって、蓋体５２の長手方向である前後の両端箇所で開放側への移動が規制されるので、蓋体５２を閉塞位置に強固に保持することができ、不正に開放側へ移動させようとする、より大きな力にも耐えることができる。従って、蓋体５２が不正に開放側に回動させるのを困難化でき、開口穴５３が不正に開放されるのを有効に防ぐことができる。
【０２２６】
一方、タンク本体５１の開口穴５３を開放するには、図１７（ｂ）、図１７（ｃ）に示すように、固定手段１７５の固定ねじ１７６を取り外して操作手段１７１の固定を解除し、操作手段１７１をタンク本体５１から取り外す。
【０２２７】
操作手段１７１の取り外しによって、蓋体５２は、カム部１７２による回動軸他方側への移動規制が解除され、第１付勢手段６１の弾性部材１１５Ａ、１１５Ｂによって回動軸他方側であるタンク本体５１の前方に向かって移動され、蓋体５２の後端部がタンク本体５１の底壁部１０１と第１蓋体移動規制手段５８の突起部１１４Ａ、１１４Ｂとの間から脱出し、蓋体５２の後端部と第１蓋体移動規制手段５８の突起部１１４Ａ、１１４Ｂとの対向が解除される。また、第２蓋体移動規制手段６０のカム部１７２と蓋体５２との対向、及び第４蓋体移動規制手段５９の腕部１７３と蓋体５２との対向が解除される。
【０２２８】
従って、蓋体５２は、開放側への回動規制が解除され、第２付勢手段６２のコイルばね２２１によって閉塞位置から開放側に向かって回動され、開放位置に保持されて、タンク本体５１の開口穴５３を自動的に開放する。
【０２２９】
上記構成によれば、操作手段１７１は、タンク本体５１の内方で固定手段１７５の固定ねじ１７６によってタンク本体５１に固定されており、例えば蓋体５２を閉塞位置から開放側に回動させるためには、固定ねじ１７６を取り外さなければならない。そして、補助タンク５０を遊技機本体４内に装着した状態では、外部から操作手段１７１に直接触れることができない。
【０２３０】
また、底壁部１０１の下面にねじ穴１８３が露出しない構成となっているため底壁部１０１の下面から固定ねじ１７６に触れることができず、コイン回収穴２Ｆを通したタンク本体５１の下面からの不正により強くなる。
【０２３１】
従って、操作手段１７１の位置が閉位置から開位置に簡単に変更されたり、操作手段１７１がタンク本体５１から不正に取り外されるのを防ぐことができる。従って、例えば操作手段１７１を閉位置に固定した場合には、蓋体５２を閉塞位置に強固に保持することができる。
【０２３２】
上述の第２実施の形態では、固定ねじ１７６によって操作手段１７１を固定する場合を例に説明したが、操作手段１７１を着脱可能で且つ開位置と閉位置に固定可能なものであればよく、例えばクリップやグロメット等を用いてもよい。
【０２３３】
また、上述の第２実施の形態では、第２蓋体移動規制手段６０と第４蓋体移動手段５９を操作手段１７１という一部材で構成した場合を例に説明したが、互いに独立して別個に設けてもよい。
【０２３４】
そして、上述の第２実施の形態では、第４蓋体移動規制手段５９の腕部１７３に凸部１７３ａを設け、この凸部１７３ａが挿入される凹部２０４を蓋体５２の上面２０１ａに設けた場合を例に説明したが、タンク本体５１に対して蓋体５２を閉位置で位置決めできる構成であればよく、例えば、第４蓋体移動規制手段５９の腕部１７３に凹部を設け、この凹部に挿入される凸部を蓋体５２の上面２０１ａに設けてもよい。
【符号の説明】
【０２３５】
１  スロットマシン（遊技機）
２  筐体
３  前面扉
４  遊技機本体
１５  ホッパ
５０  補助タンク
５１  タンク本体
５２  蓋体
５３  開口穴
５８  第１蓋体移動規制手段
５９  第４蓋体移動規制手段
６０  第２蓋体移動規制手段（蓋体移動手段）
６１  第１付勢手段
６２  第２付勢手段（開放位置保持手段）
１０１  底壁部
１３１  前側支持部
１３４  後側支持部
１３１ａ、１３４ａ  スリット部
１１４Ａ、１１４Ｂ  突起部
１１５Ａ、１１５Ｂ  弾性部材
１６１  第１センサ挿入穴
１６２  第２センサ挿入穴
２０１  平板部
２１２  前側支持軸
２１３  後側支持軸
２２１  コイルばね
２５０  第３蓋体移動規制手段
２５２Ａ、２５２Ｂ  突起部
２５４Ａ、２５２４  スリット部
【図１】
0005380869.tif 000002
【図２】
0005380869.tif 000003
【図３】
0005380869.tif 000004
【図４】
0005380869.tif 000005
【図５】
0005380869.tif 000006
【図６】
0005380869.tif 000007
【図７】
0005380869.tif 000008
【図８】
0005380869.tif 000009
【図９】
0005380869.tif 000010
【図１０】
0005380869.tif 000011
【図１１】
0005380869.tif 000012
【図１２】
0005380869.tif 000013
【図１３】
0005380869.tif 000014
【図１４】
0005380869.tif 000015
【図１５】
0005380869.tif 000016
【図１６】
0005380869.tif 000017
【図１７】
0005380869.tif 000018
【図１８】
0005380869.tif 000019
【図１９】
0005380869.tif 000020